(57)【要約】【課題】  携帯情報端末を見ていなくても外部機器のケーブルが接続された時、ユーザがそれを知ることができ、しかも、ユーザがケーブルを接続した場合にパスワード等の面倒な入力を行う必要がない携帯情報端末を提供する。【解決手段】  接続検知部１２ａは、コネクタに外部機器のケーブルが接続されたことを検出する。選択部１ａは接続検知部１２ａの検出結果を受けて、ＲＡＭ３から該検出結果に対応するＨＶデータ（報知音データ）を選択する。音源１０は、選択部１ａによって選択されたＨＶデータに基づいて報知音信号を生成しスピーカ１１へ出力する。これにより、スピーカ１１から、例えば「接続しました。」という音声が発生する。【選択図】    図１
2005244591.tif 000002
【特許請求の範囲】
【請求項１】
外部機器が接続されるコネクタと、
前記コネクタに前記外部機器が接続されたことを検出する検出手段と、
前記検出手段の検出結果を受けて、外部機器接続を報知する報知音を発生する発音手段と、
を具備することを特徴とする携帯情報端末。
【請求項２】
外部機器が接続されるコネクタと、
前記コネクタに前記外部機器が接続されたことを検出する検出手段と、
報知音データが記憶された記憶部と、
前記検出手段の検出結果を受けて、前記記憶部から該検出結果に対応する報知音データを選択する選択手段と、
前記選択手段によって選択された報知音データに基づいて報知音を発音する発音手段と、
を具備することを特徴とする携帯情報端末。
【請求項３】
外部機器が接続されるコネクタと、
前記コネクタに接続された外部機器と内部とのアクセス状況を検出する検出手段と、
報知音データが記憶された記憶部と、
前記検出手段の検出結果を受けて、前記記憶部から該検出結果に対応する報知音データを選択する選択手段と、
前記選択手段によって選択された報知音データに基づいて報知音を発音する発音手段と、
を具備することを特徴とする携帯情報端末。
【請求項４】
前記報知音データは音声発音用のデータであることを特徴とする請求項２または請求項３に記載の携帯情報端末。
【請求項５】
前記報知音データは、発音する文字を示す発音文字と該発音文字の抑揚等を制御する制御信号をテキストで記述した発音文字列からなり、
前記発音手段は、前記発音文字列からなる報知音データを解釈して報知音を発音するものであることを特徴とする請求項４に記載の携帯情報端末。
【請求項６】
前記発音手段は、前記選択手段によって選択された報知音データをフォルマントフレーム列に変換する変換手段と、前記変換手段から出力されたフォルマントフレーム列に基づいて音声信号を生成する音源回路と、該音源回路の出力に基づいて音声を発音するスピーカを具備することを特徴とする請求項４または請求項５に記載の携帯情報端末。
【請求項７】
前記発音手段は、マナーモード等、着信音や操作確認音を発生させないモードであっても前記報知音を発音することを特徴とする請求項１〜請求項６のいずれかの項に記載の携帯情報端末。
【発明の詳細な説明】
【技術分野】
【０００１】
本発明は、携帯電話、ＰＨＳ、ＰＤＡ等の携帯情報端末に係り、特に、パソコン等の外部機器が接続された時、ユーザに音によってそれを知らせることができる携帯情報端末に関する。
【背景技術】
【０００２】
近年、ＰＤＡに限らず、携帯電話、ＰＨＳにも住所録を始めとして多くのデータが記憶保持されており、このデータを盗もうとする者も増えつつある。そこで、これらの携帯情報端末に何らかのケーブルが接続された時、それをユーザに知らせる構成が求められている。
【０００３】
このような構成に類似するものとして、充電器を接続するとＬＥＤが光るものや、ケーブル接続時に液晶表示がそれを伝える表示を行うもの等が知られている。しかし、これらの構成は、ユーザがＬＥＤや液晶表示器を見ていなければ気がつかず、ユーザが携帯情報端末を置きっぱなしにしたり、目を離したすきに、第３者がデータを抜き盗ろうとした時はそれを防ぐことができない。
【０００４】
他方、特許文献１には、ケーブルが接続され、アクセスされた時、情報端末がパスワードを要求し、パスワードによる認証が「ＯＫ」の場合のみアクセスを許可する構成が記載されている。しかしながら、このパスワードによる構成は、第３者のデータ抜き盗りに対しては有効であるが、ユーザが外部機器を接続する場合にもパスワードを入力することが必要となり、ユーザにとって大変煩わしいという欠点がある。
【特許文献１】特開2001-211479号公報
【発明の開示】
【発明が解決しようとする課題】
【０００５】
本発明は上記事情を考慮してなされたもので、その目的は、携帯情報端末を見ていなくても外部機器のケーブルが接続された時、ユーザがそれを知ることができ、しかも、ユーザがケーブルを接続した場合にパスワード等の面倒な入力を行う必要がない携帯情報端末を提供することにある。
【課題を解決するための手段】
【０００６】
この発明は上記の課題を解決するためになされたもので、請求項１に記載の発明は、外部機器が接続されるコネクタと、前記コネクタに前記外部機器が接続されたことを検出する検出手段と、前記検出手段の検出結果を受けて、外部機器接続を報知する報知音を発生する発音手段とを具備することを特徴とする携帯情報端末である。
【０００７】
請求項２に記載の発明は、外部機器が接続されるコネクタと、前記コネクタに前記外部機器が接続されたことを検出する検出手段と、報知音データが記憶された記憶部と、前記検出手段の検出結果を受けて、前記記憶部から該検出結果に対応する報知音データを選択する選択手段と、前記選択手段によって選択された報知音データに基づいて報知音を発音する発音手段とを具備することを特徴とする携帯情報端末である。
【０００８】
請求項３に記載の発明は、外部機器が接続されるコネクタと、前記コネクタに接続された外部機器と内部とのアクセス状況を検出する検出手段と、報知音データが記憶された記憶部と、前記検出手段の検出結果を受けて、前記記憶部から該検出結果に対応する報知音データを選択する選択手段と、前記選択手段によって選択された報知音データに基づいて報知音を発音する発音手段とを具備することを特徴とする携帯情報端末である。
【０００９】
請求項４に記載の発明は、請求項２または請求項３に記載の携帯情報端末において、前記報知音データは音声発音用のデータであることを特徴とする。
請求項５に記載の発明は、請求項４に記載の携帯情報端末において、前記報知音データは、発音する文字を示す発音文字と該発音文字の抑揚等を制御する制御信号をテキストで記述した発音文字列からなり、前記発音手段は、前記発音文字列からなる報知音データを解釈して報知音を発音するものであることを特徴とする。
【００１０】
請求項６に記載の発明は、請求項４または請求項５に記載の携帯情報端末において、前記発音手段は、前記選択手段によって選択された報知音データをフォルマントフレーム列に変換する変換手段と、前記変換手段から出力されたフォルマントフレーム列に基づいて音声信号を生成する音源回路と、該音源回路の出力に基づいて音声を発音するスピーカを具備することを特徴とする。
請求項７に記載の発明は、請求項１〜請求項６のいずれかの項に記載の携帯情報端末において、前記発音手段は、マナーモード等、着信音や操作確認音を発生させないモードであっても前記報知音を発音することを特徴とする。
【発明の効果】
【００１１】
この発明によれば、ユーザが携帯情報端末を見ていなくても外部機器のケーブルが接続された時、音によってそれを知ることができる効果がある。これにより、携帯情報端末の内部データの盗用を防ぐことができる。また、ユーザがケーブルを接続した場合にパスワード等の面倒な入力を行う必要がなく、さらに、ユーザが接続を音によって確認できる利点も得られる。
【発明を実施するための最良の形態】
【００１２】
以下、図面を参照し、この発明の実施の形態について説明する。図１はこの発明の一実施の形態による携帯電話機の要部の構成を示す機能ブロック図、図２は同携帯電話機の全体構成を示すブロック図である。図２において、符号１は各部を制御するＣＰＵ（中央処理装置）、２はＲＯＭ（リードオンリメモリ）である。このＲＯＭ２には、ＣＰＵ１のプログラムおよび音声合成のための合成辞書２ａ（図１参照）が予め記憶されている。また、このＲＯＭ２に記憶されているプログラムには、携帯電話機の通信制御のプログラムの他に、上述した合成辞書に基づいて音声合成を行ってフォルマントフレーム列を作成するプログラムが記憶されている。
【００１３】
３はデータ記憶用のＲＡＭ（ランダムアクセスメモリ）であり、不揮発性のメモリによって構成されている。また、このＲＡＭ３には、予めＨＶ（Humanoid Voice） データが記憶されている。ここで、ＨＶデータとは、音声合成の原データであり、発音する文字と該発音文字の抑揚等を制御する記号をテキストで記述したテキストデータ列からなる。そして、この実施形態においては、図３に示すように、次の３種類のＨＶデータが記憶されている。
ＨＶデータ１：ＨＶ＃ＪＳ５０せ＾３つぞく＄し＾ま＄５し＞１０た。
ＨＶデータ２：ＨＶ＃ＪＳ５０で＾２ーた  ＄しゅ＾３つりょく＄し＾ていま＄７す。
ＨＶデータ３：ＨＶ＃ＪＳ５０じゅ＾３ーで＄ん  ＄か＾２いし＄し＾ま＞８す。
【００１４】
例えば、上記ＨＶデータ１は「せつぞくしました」という言葉（発音する文字）にイントネーションを付加して音声合成させるための記述である。ＨＶデータ１において、ＨＶ＃Ｊはヘッダであり、日本語のＨＶデータであることを示している。また、次のＳ５０は１文字の発音速度を示す信号であり、その記号以降の文字における速度を指定している。Ｓの次に入る数字が大きいほど速く発音される。また、「＾」、「＄」、｛＞」などが韻律記号であり、この記号の後の文字（この記号の直後に数値がある場合は、この数値に続く文字）に対して、所定の抑揚（アクセント）を付加するものである。
【００１５】
「＾」は発音中ピッチを上げ、「＄」は発音中ピッチを下げ、「＞」は発音中音量を下げるように音声合成を行うことを意味している。また、上記記号の直後に数値が付加されている場合は、その数値は付加するアクセントの変化量を指定するものである。例えば、「せ＾３つぞく」は「せ」は標準のピッチ、音量で発音し、「つ」を発音中に３の量だけピッチを上げることを意味し、「ぞ」と「く」をその上げたピッチで発音することを示す。
【００１６】
このように、発音させる言葉に含まれる文字にアクセント（イントネーション）を付加する場合に、その文字の直前に、上記のような記号（さらにはイントネーションの変化量を示す数値）を付加する記述をする。なお、本実施形態では、上記の韻律記号のみ説明したが、これ以外に例えば音質を制御する記号などを用いることもできる。
【００１７】
４はテンキー、ファンクションキーからなる入力部、５は液晶表示器からなる表示部、６は通信部である。この通信部６は、アンテナ７を介して受信された変調音声信号を復調して音声処理部８へ出力し、また、音声処理部８から供給される符号化された音声信号を変調し、アンテナ７から送信する。また、アンテナ７を介して受信した発信元の電話番号、メールアドレス、その他のデータをバスラインＢＵを介してＣＰＵ１へ出力する。
【００１８】
音声処理部８は、通信部６から出力される圧縮された音声データを伸長し、アナログ信号に変換してスピーカへ出力し、また、マイクロフォンからの音声信号をディジタル音声データに変換し、さらに圧縮符号化して通信部６へ出力する。１０は音源であり、ＣＰＵ１から着信音発生指示を受けて着信音信号を生成し、スピーカ１１へ出力する。また、ＣＰＵ１から前述したフォルマントフレーム列を受けて音声信号を生成し、スピーカ１１へ出力する。１２はコネクタ部であり、充電器からのケーブルを接続するコネクタ、パソコンからのケーブルを接続するコネクタ、他の携帯電話機からのケーブルを接続するコネクタを含むと共に、接続検知部１２ａ（図１参照）を含んでいる。この接続検知部１２ａは、いずれかのコネクタにケーブルが接続された時、それを例えばマイクロスイッチによって検出して、検出信号をバスラインＢＵを介してＣＰＵ１へ出力する。
【００１９】
次に、上述した携帯電話機の動作を図１および図４を参照して説明する。なお、この携帯電話機の通信／通話時の動作は従来の携帯電話機の動作と同様なので説明を省略する。
ユーザが、例えば、携帯電話機のデータをパソコンへ移転しようと考え、パソコンからのケーブルをコネクタ部１２のコネクタに接続したとする。この場合、接続検知部１２ａがコネクタ接続を検知し、コネクタ番号およびコネクタ接続を示すデータをＣＰＵ１へ出力する（図４のステップＳ１が「ＹＥＳ」）。ＣＰＵ１はこのデータを受け、ＲＡＭ３から対応するＨＶデータを選択する（図４のステップＳ２、図１の選択部１ａ参照）。この場合、ＨＶデータ１が選択される。次に、ＣＰＵ１は、選択したＨＶデータ１「ＨＶ＃ＪＳ５０せ＾３つぞく＄し＾ま＄５し＞１０た。」をＲＯＭ２内の合成辞書２ａを用いてフォルマントフレーム列に変換する（図４のステップＳ３、図１のＨＶコンバータ１ｂ参照）。そして、そのフォルマントフレーム列を音源１０へ出力する（図４のステップＳ４）。音源１０はＣＰＵ１から受けたフォルマントフレーム列に基づいて音声信号を合成し、スピーカ１１へ出力する。これにより、スピーカ１１から「せつぞくしました。」という音声が発生する。
【００２０】
同様に、ユーザが充電器からのケーブルをコネクタ部の充電器用コネクタに接続すると、スピーカ１１から「じゅうでんかいしします。」という音声が発生する。また、パソコンからのケーブルをコネクタ部１２のコネクタに接続した後、一定時間が経過した時点で、ＣＰＵ１が通信状況（アクセス可能、データ通信開始等）に基づいてＲＡＭ３からＨＶデータ２を選択し、フォルマントフレーム列に変換し、音源１０へ送信する。これにより、データを出力しているのであれば、「でーたしゅつりょくしています。」という音声が発生する。
【００２１】
次に、ユーザが、例えば、パソコン接続の場合に「パソコンがせつぞくされました。」という音声を発生させようと考えた場合は、ＲＯＭ２内の登録用アプリケーション２ｂ（図１）を起動し、表示部５にテキストデータによって上記の文言を表すＨＶデータ（発音文字と抑揚等を表す記号）を入力し、入力部４において、指定されたキー操作を行う。これにより、ＲＡＭ３のＨＶデータ１がその文言を表すＨＶデータによって書き換えられる。なお、インターネットを介してサーバにアクセスし、ダウンロードによってサーバからＨＶデータを入手し、入手したＨＶデータをＲＡＭ３に登録してもよい。
【００２２】
このように、上記実施形態によれば、音声によってコネクタ接続がユーザに知らされるので、ユーザが携帯電話機を見ていなくても、悪意の第３者がケーブルを接続した時それを知ることができる。また、ユーザ自身がケーブルを接続する場合に、パスワード等を入れる必要がないと同時に、音声によって接続を確認することができる効果がある。また、ＨＶデータをユーザが作成することによって自由なカスタマイズが可能となる。
【００２３】
なお、コネクタ部１２にケーブルが接続された時、携帯電話機がパワーダウン状態にあった場合、接続検知部１２ａの出力に基づいて復帰動作を行うようにしてもよい。また、携帯電話機がマナーモード等、着信音や操作確認音を発生させないモードにある場合においても、コネクタ接続時に上述した音声を発生させるようにしてもよい。
【図面の簡単な説明】
【００２４】
【図１】この発明の実施形態による携帯電話機の要部の構成を示す機能ブロック図である。
【図２】同携帯電話機の全体構成を示すブロック図である。
【図３】図２のＲＡＭ３に記憶されているＨＶデータの例を示す図である。
【図４】同携帯電話機の動作を説明するためのフローチャートである。
【符号の説明】
【００２５】
１…ＣＰＵ、２…ＲＯＭ、２ａ…合成辞書、３…ＲＡＭ、６…通信部、１０…音源、１１…スピーカ、１２…コネクタ部、１２ａ…接続検知部、
【図１】
2005244591.tif 000003
【図２】
2005244591.tif 000004
【図３】
2005244591.tif 000005
【図４】
2005244591.tif 000006